(57)【要約】  使用帯域がシステム帯域の一部の狭帯域に制限される場合であっても、通信を適切に行うこと。システム帯域の一部の狭帯域に使用帯域が制限されたユーザ端末であって、所定サブフレームで送信されるページング情報を受信する受信部と、ページング情報に基づいて取得したＣＦＩ（Control  Format  Indicator）値の情報を用いて下り共有チャネル及び／又は拡張下り制御チャネルの受信を制御する制御部と、を有し、受信部は、所定サブフレームにおいて開始位置が固定して割当てられた共通サーチスペースを検出し、共通サーチスペースで指示されたページング情報を受信する。
2016117645.tif 000002
【特許請求の範囲】
【請求項１】
システム帯域の一部の狭帯域に使用帯域が制限されたユーザ端末であって、
所定サブフレームで送信されるページング情報を受信する受信部と、
ページング情報に基づいて取得したＣＦＩ（Control  Format  Indicator）値の情報を用いて下り共有チャネル及び／又は拡張下り制御チャネルの受信を制御する制御部と、を有し、
前記受信部は、所定サブフレームにおいて開始位置が固定して割当てられた共通サーチスペースを検出し、共通サーチスペースで指示されたページング情報を受信することを特徴とするユーザ端末。
【請求項２】
システム帯域の一部の狭帯域に使用帯域が制限されたユーザ端末であって、
所定サブフレームで送信されるページング情報を受信する受信部と、
ページング情報に基づいて取得したＣＦＩ（Control  Format  Indicator）値の情報を用いて下り共有チャネル及び／又は拡張下り制御チャネルの受信を制御する制御部と、を有し、
前記受信部は、所定サブフレームにおいて開始位置が固定して割当てられたページング情報を受信することを特徴とするユーザ端末。
【請求項３】
前記共通サーチスペースは、少なくともページング情報が送信される所定サブフレームにおいて開始位置が固定されていることを特徴とする請求項１に記載のユーザ端末。
【請求項４】
前記受信部は、ランダムアクセス要求を含むページング情報を受信した場合、ＭＩＢ（Master  Information  Block）及び／又はＳＩＢ（System  Information  Block）を受信してＣＦＩ値の情報を取得することを特徴とする請求項１又は請求項２に記載のユーザ端末。
【請求項５】
前記受信部は、ページング情報に含まれるＣＦＩ値の変更に関する情報を受信した場合、ＭＩＢ及び／又はＳＩＢを受信してＣＦＩ値の情報を取得することを特徴とする請求項１又は請求項２に記載のユーザ端末。
【請求項６】
前記ページング情報にＣＦＩ値の情報が含まれていることを特徴とする請求項１又は請求項２に記載のユーザ端末。
【請求項７】
ユーザ端末がＲＲＣ接続状態である場合に、前記受信部は、上位レイヤシグナリングに含まれるＣＦＩ値の情報を取得することを特徴とする請求項１又は請求項２に記載のユーザ端末。
【請求項８】
ユーザ端末がＲＲＣ接続状態である場合に、前記受信部は、所定のタイミングで送信されるＭＩＢ及び／又はＳＩＢに含まれるＣＦＩ値の情報を取得することを特徴とする請求項１又は請求項２に記載のユーザ端末。
【請求項９】
システム帯域の一部の狭帯域に使用帯域が制限されたユーザ端末と通信を行う無線基地局であって、
ＣＦＩに関する情報を含むページング情報を生成する生成部と、
所定サブフレームにおいてページング情報を送信する送信部と、
ＣＦＩ（Control  Format  Indicator）値に基づいて、下り共有チャネル及び／又は拡張下り制御チャネルの割当てを制御する制御部と、を有し、
前記送信部は、所定サブフレームにおけるページング情報の開始位置を固定的に割当てて送信することを特徴とする無線基地局。
【請求項１０】
システム帯域の一部の狭帯域に使用帯域が制限されたユーザ端末の無線通信方法であって、
所定サブフレームで送信されるページング情報を受信する工程と、
所定サブフレームにおいて開始位置が固定して割当てられた共通サーチスペースを検出し、共通サーチスペースで指示されたページング情報を受信する工程と、
ページング情報に基づいて取得したＣＦＩ（Control  Format  Indicator）値の情報を用いて下り共有チャネル及び／又は拡張下り制御チャネルの受信を制御する工程と、を有することを特徴とする無線通信方法。
【発明の詳細な説明】
【技術分野】
【０００１】
本発明は、次世代移動通信システムにおけるユーザ端末、無線基地局及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥアドバンスト（以下、「ＬＴＥ−Ａ」と表す）、ＦＲＡ（Future  Radio  Access）等ともいう）も検討されている。【０００３】
ところで、近年、通信装置の低コスト化に伴い、ネットワークに繋がれた装置が、人間の手を介さずに相互に通信して自動的に制御を行う機器間通信（Ｍ２Ｍ：Machine-to-Machine）の技術開発が盛んに行われている。特に、３ＧＰＰ（Third  Generation  Partnership  Project）は、Ｍ２Ｍの中でも機器間通信用のセルラシステムとして、ＭＴＣ（Machine  Type  Communication）の最適化に関する標準化を進めている（非特許文献２）。ＭＴＣ端末は、例えば電気（ガス）メータ、自動販売機、車両、その他産業機器等の幅広い分野への利用が考えられている。
【先行技術文献】
【非特許文献】
【０００４】
【非特許文献１】3GPP  TS  36.300  “Evolved  Universal  Terrestrial  Radio  Access  (E-UTRA)  and  Evolved  Universal  Terrestrial  Radio  Access  Network  (E-UTRAN);  Overall  description;  Stage  2”
【非特許文献２】3GPP  TS  36.888  “Study  on  provision  of  low-cost  Machine-Type  Communications  (MTC)  User  Equipments  (UEs)  based  on  LTE  (Release  12)”
【発明の概要】
【発明が解決しようとする課題】
【０００５】
コストの低減及びセルラシステムにおけるカバレッジエリアの改善の観点から、ＭＴＣ端末の中でも、簡易なハードウェア構成で実現可能な低コストＭＴＣ端末（low-cost  MTC  UE）の需要が高まっている。低コストＭＴＣ端末は、上りリンク（ＵＬ）及び下りリンク（ＤＬ）の使用帯域を、システム帯域の一部に制限することで実現される。システム帯域は、例えば、既存ＬＴＥ帯域（２０ＭＨｚ）、コンポーネントキャリア（ＣＣ）等に相当する。【０００６】
しかし、使用帯域がシステム帯域の一部に制限される場合、既存システムで利用する信号やチャネルを受信することが出来なくなる。例えば、既存システムにおいて、下り制御チャネル（ＰＤＣＣＨ）を構成するＯＦＤＭシンボル数を示すＣＦＩ（Control  Format  Indicator）がＰＣＦＩＣＨ（Physical  Control  Format  Indicator  Channel）で送信される。【０００７】
ユーザ端末は、ＰＣＦＩＣＨで送信されるＣＦＩに基づいて、所定の送信時間間隔（例えば、サブフレーム）におけるＰＤＣＣＨのＯＦＤＭシンボル数を判断することができる。また、各サブフレームにおけるＰＤＳＣＨは、各サブフレームのＰＤＣＣＨを構成するＯＦＤＭシンボルを除いた残りのＯＦＤＭシンボルから構成される。そのため、ユーザ端末は、ＣＦＩに基づいて下り共有チャネル（ＰＤＳＣＨ）の開始位置を判断することが可能となる。【０００８】
しかしながら、ＰＣＦＩＣＨはシステム帯域に渡って配置されるため、使用帯域が狭帯域に制限されるユーザ端末（例えば、ＭＴＣ端末）は、既存のＰＣＦＩＣＨでＣＦＩを検出することが出来なくなる。その結果、ユーザ端末は、各サブフレームにおいてＰＤＳＣＨ（又はＥＰＤＣＣＨ）の開始シンボル（starting  symbol）を把握することができず、通信を適切に行うことができなくなるおそれがある。【０００９】
本発明はかかる点に鑑みてなされたものであり、使用帯域がシステム帯域の一部の狭帯域に制限される場合であっても、通信を適切に行うことができるユーザ端末、無線基地局及び無線通信方法を提供することを目的とする。
【課題を解決するための手段】
【００１０】
本発明の一態様に係るユーザ端末は、システム帯域の一部の狭帯域に使用帯域が制限されたユーザ端末であって、所定サブフレームで送信されるページング情報を受信する受信部と、ページング情報に基づいて取得したＣＦＩ（Control  Format  Indicator）値の情報を用いて下り共有チャネル及び／又は拡張下り制御チャネルの受信を制御する制御部と、を有し、前記受信部は、所定サブフレームにおいて開始位置が固定して割当てられた共通サーチスペースを検出し、共通サーチスペースで指示されたページング情報を受信することを特徴とする。
【発明の効果】
【００１１】
本発明によれば、使用帯域がシステム帯域の一部の狭帯域に制限される場合であっても、通信を適切に行うことができる。
【図面の簡単な説明】
【００１２】
【図１】下りリンクのシステム帯域に対する狭帯域の配置例を示す図である。
【図２】ＭＴＣ端末におけるＰＤＳＣＨの割り当ての一例を示す図である。
【図３】既存のＰＣＦＩＣＨの割当ての一例を示す図である。
【図４】ＰＤＳＣＨ及び／又はＥＰＤＣＣＨの開始位置（ＣＦＩ値）を固定的に割当てる場合の一例を示す図である。
【図５】ページング情報でシステム情報変更通知を受けたユーザ端末の動作を説明する図である。
【図６】ページング情報でシステム情報変更通知を受けたユーザ端末の動作の一例を示す図である。
【図７】ページング情報を指定するＣＳＳ又はページング情報を固定的に割当てる場合の一例を示す図である。
【図８】ページング情報に含まれるＲＡＣＨ要求を受けたユーザ端末の動作を説明する図である。
【図９】ＣＦＩ値の変更通知を含むページング情報を受けたユーザ端末の動作の一例を示す図である。
【図１０】ＣＦＩ値に関する情報を含むページング情報を受けたユーザ端末の動作の一例を示す図である。
【図１１】ＲＲＣ接続状態のＭＴＣ端末のＣＦＩ値の更新方法の一例を示す図である。
【図１２】本発明の一実施形態に係る無線通信システムの概略構成図である。
【図１３】本発明の一実施形態に係る無線基地局の全体構成の一例を示す図である。
【図１４】本発明の一実施形態に係る無線基地局の機能構成の一例を示す図である。
【図１５】本発明の一実施形態に係るユーザ端末の全体構成の一例を示す図である。
【図１６】本発明の一実施形態に係るユーザ端末の機能構成の一例を示す図である。
【発明を実施するための形態】
【００１３】
ＭＴＣ端末の低コスト化のために、ピークレートの減少、リソースブロックの制限、受信ＲＦ制限によって端末の処理能力を抑えることが検討されている。例えば、下りデータチャネル（ＰＤＳＣＨ：Physical  Downlink  Shared  Channel）を用いたユニキャスト送信で最大トランスポートブロックサイズが１０００ビット、下りデータチャネルを用いたＢＣＣＨ送信で最大トランスポートブロックサイズが２２１６ビットに制限される。また、下りデータチャネルの帯域幅が６リソースブロック（ＲＢ（Resource  Block）、ＰＲＢ（Physical  Resource  Block）ともいう）に制限される。さらに、ＭＴＣ端末における受信ＲＦ（Radio  Frequency）が１に制限される。
【００１４】
また、低コストＭＴＣ端末（low-cost  MTC  UE）は、既存のユーザ端末よりもトランスポートブロックサイズ、リソースブロックが制限されるため、ＬＴＥのＲｅｌ．８〜１１セルには接続できない。このため、低コストＭＴＣ端末は報知信号によってアクセス許可が通知されているセルのみに接続される。さらに、下りデータ信号だけでなく、下りリンクで送信される各種制御信号（システム情報、下り制御情報）や、上りリンクで送信されるデータ信号や各種制御信号についても、規定の狭帯域（例えば、１．４ＭＨｚ）に制限することが考えられている。
【００１５】
このように帯域が制限されたＭＴＣ端末は、既存のユーザ端末との関係を考慮してＬＴＥのシステム帯域で動作させる必要がある。例えば、システム帯域において、帯域が制限されたＭＴＣ端末と帯域が制限されない既存のユーザ端末との間で、周波数多重をサポートすることが想定される。また、帯域が制限されたユーザ端末は、上りリンクと下りリンクにおいて、所定の狭帯域のＲＦのみをサポートすることが想定される。ここで、ＭＴＣ端末は、サポートする最大の帯域がシステム帯域の一部の狭帯域である端末であり、既存のユーザ端末は、サポートする最大の帯域がシステム帯域（例えば、２０ＭＨｚ）である端末である。
【００１６】
すなわち、ＭＴＣ端末の使用帯域の上限は狭帯域に制限され、既存のユーザ端末の使用帯域の上限はシステム帯域に設定される。ＭＴＣ端末は、狭帯域を基準として設計されているため、ハードウェア構成を簡略化して、既存のユーザ端末よりも処理能力が抑えられている。なお、ＭＴＣ端末は、低コストＭＴＣ端末、ＭＴＣ  ＵＥなどと呼ばれてもよい。既存のユーザ端末は、ノーマルＵＥ、ｎｏｎ−ＭＴＣ  ＵＥ、Ｃａｔｅｇｏｒｙ  １  ＵＥなどと呼ばれてもよい。
【００１７】
ここで、図１を参照して、下りリンクにおけるシステム帯域に対する狭帯域の配置について説明する。図１Ａでは、ＭＴＣ端末の使用帯域がシステム帯域の一部の狭帯域（例えば、１．４ＭＨｚ）に制限される場合を示している。狭帯域がシステム帯域の所定の周波数位置に固定されると、周波数ダイバーシチ効果が得られないため、周波数利用効率が低下するおそれがある。一方で、図１Ｂに示すように、使用帯域となる狭帯域の周波数位置がサブフレーム毎に変化すると、周波数ダイバーシチ効果が得られるため、周波数利用効率の低下が抑えられる。本実施の形態では、図１Ａ又は図１Ｂのいずれの構成を適用してもよい。
【００１８】
ところで、ＭＴＣ端末は、図１に示すように所定の狭帯域（例えば、１．４ＭＨｚ）のみしかサポートしていないため、広帯域のＰＤＣＣＨで送信される下り制御情報（ＤＣＩ：Downlink  Control  Information）を検出できない。そこで、ＭＴＣ端末に対しては、ＥＰＤＣＣＨ（Enhanced  Physical  Downlink  Control  Channel）を用いて、下り（ＰＤＳＣＨ）と上り（ＰＵＳＣＨ：Physical  Uplink  Shared  Channel）のリソース割り当てを行うことが考えられる。
【００１９】
図２は、ＭＴＣ端末におけるＥＰＤＣＣＨとＰＤＳＣＨの割り当ての一例を示す図である。ＥＰＤＣＣＨはＰＤＳＣＨの割り当てリソースに関するＤＣＩを含む。ユーザ端末は、ＤＣＩに含まれる割り当てリソースに関する情報に基づいてＰＤＳＣＨを検出する。なお、無線基地局は、ＥＰＤＣＣＨとＰＤＳＣＨを同じサブフレームの狭帯域に割当ててもよいし、異なるサブフレームに割当ててもよい。異なるサブフレームにＥＰＤＣＣＨとＰＤＳＣＨを割当てる場合には、ＥＰＤＣＣＨをＰＤＳＣＨより時間的に前のサブフレームに割当てることができる。
【００２０】
また、ＥＰＤＣＣＨは、拡張制御チャネル要素（ＥＣＣＥ：Enhanced  Control  Channel  Element）で構成され、ユーザ端末はサーチスペースをモニタリング（ブラインド複合）して下り制御情報を取得する。サーチスペースとしては、各ＵＥに個別に設定されるＵＥ固有サーチスペース（ＵＳＳ：UE  specific  Search  Space）と、各ＵＥに共通に設定される共通サーチスペース（ＣＳＳ：Common  Search  Space）を設定することができる。なお、拡張制御チャネルに設定するサーチスペースは、ＣＳＳを設けずＵＳＳのみ設けてもよいし、ＣＳＳとＵＳＳの両方を設けた構成とすることができる。
【００２１】
また、ユーザ端末は、ＰＤＳＣＨ及び／又はＥＰＤＣＣＨを受信するために、サブフレームにおいてＰＤＳＣＨ及び／又はＥＰＤＣＣＨの開始位置（starting  symbol）を把握する必要がある。上述したように、既存システムでは、ＰＤＳＣＨの開始位置を判断するために用いるＣＦＩがＰＣＦＩＣＨで送信される。
【００２２】
しかし、図３に示すようにＰＣＦＩＣＨはシステム帯域に渡って送信されるため、使用帯域が狭帯域に制限されるユーザ端末（例えば、ＭＴＣ端末）は、既存のＰＣＦＩＣＨで送信されるＣＦＩを適切に検出することが出来ない。そのため、ＭＴＣ端末の無線通信において、ＰＤＳＣＨ及び／又はＥＰＤＣＣＨのシンボルの開始位置を適切に把握するための方法が必要となる。
【００２３】
ＭＴＣ端末がＰＤＳＣＨ及び／又はＥＰＤＣＣＨの開始位置を把握するために、サブフレームにおけるＰＤＳＣＨ及び／又はＥＰＤＣＣＨの開始位置（先頭位置）を固定的に設定することが考えられる。例えば、セル毎にＣＦＩ値をそれぞれ固定的に設定することが考えられる。図４は、セル毎にＣＦＩ値を固定して設定する場合の一例を示している。
【００２４】
図４Ａは、ＭＴＣ端末に送信する下り信号、下りチャネル（例えば、ＰＤＳＣＨ及び／又はＥＰＤＣＣＨ）の開始位置をサブフレームの先頭シンボル（シンボル＃０）から２シンボル目（ＣＦＩ＝１）とする場合を示している。この場合、制御領域（例えば、既存ＰＤＣＣＨ）用に利用するシンボル数は１以下となる。１サブフレームがシンボル＃０〜＃１３から構成される場合、シンボル＃０に既存ＰＤＣＣＨ等が配置され、シンボル＃１がＰＤＳＣＨ及び／又はＥＰＤＣＣＨの開始位置（starting  symbol）となる。
【００２５】
図４Ｂは、ＭＴＣ端末に送信するデータ信号（例えば、ＰＤＳＣＨ）の開始位置をサブフレームの先頭シンボルから３シンボル目（ＣＦＩ＝２）とする場合を示している。この場合、制御領域（例えば、既存ＰＤＣＣＨ）用に利用するシンボル数は２以下となる。１サブフレームがシンボル＃０〜＃１３から構成される場合、シンボル＃０、＃１に既存ＰＤＣＣＨ等が配置され、シンボル＃２がＰＤＳＣＨ及び／又はＥＰＤＣＣＨの開始位置（starting  symbol）となる。
【００２６】
なお、セル毎に固定的に設定するＰＤＳＣＨ及び／又はＥＰＤＣＣＨの開始位置（ＣＦＩ値）は、セルにおけるトラヒック量等に基づいて決定することが想定される。例えば、ＭＴＣ端末が少ないセル（例えば、Rural  areasのセル）ではＣＦＩ値を小さく設定し、ＭＴＣ端末が多いセル（例えば、Urban  areasのセル）ではＣＦＩ値を大きく設定することが考えられる。
【００２７】
このように、ＭＴＣ端末の無線通信において、セル毎にＰＤＳＣＨ及び／又はＥＰＤＣＣＨの開始位置を固定的に設定することにより、ＭＴＣ端末がＰＤＳＣＨやＥＰＤＣＣＨを適切に受信することが可能となる。
【００２８】
しかし、ＰＤＳＣＨ及び／又はＥＰＤＣＣＨの開始位置を固定的に設定する場合、無線基地局におけるスケジューリングが制限される。また、通信状況等に応じて制御領域用のシンボル数（ＰＤＳＣＨ及び／又はＥＰＤＣＣＨの開始位置）を柔軟に制御できないため、リソースの利用効率を十分に図ることが出来ないという問題がある。
【００２９】
そこで、本発明者等は、既存のＰＣＦＩＣＨを用いずにＰＤＳＣＨ及び／又はＥＰＤＣＣＨの開始位置に関する情報（ＣＦＩ値の情報）をＭＴＣ端末に通知することにより、ＰＤＳＣＨ及び／又はＥＰＤＣＣＨの割当てを柔軟に制御することを見出した。この場合、ＭＴＣ端末は、無線基地局から通知されたＣＦＩ値の情報に基づいてＣＦＩ値の更新（アップデート）を制御する。
【００３０】
具体的に、本発明者等は、ＰＤＳＣＨ（Physical  Downlink  Shared  Channel）及び／又はＥＰＤＣＣＨ（Enhanced  Physical  Downlink  Control  Channel）の開始位置に関する情報を、ＰＣＦＩＣＨでなく、ＭＩＢ（Master  Information  Block）及び／又はＳＩＢ（System  Information  Block）を利用してＭＴＣ端末に通知することができる点に着目した。この場合、少なくともＣＦＩ値の更新情報が含まれるシステム情報が割当てられるＰＤＳＣＨの開始位置（又は、ＣＦＩ値）を固定的に設定することが考えられる。なお、ＭＩＢ／ＳＩＢとしては、既存システムのＭＩＢ／ＳＩＢを用いてもよいし、既存システムのＭＩＢ／ＳＩＢを拡張して用いてもよいし、ＭＴＣ端末専用のＭＩＢ／ＳＩＢを新たに規定して用いることができる。
【００３１】
ここで、ＭＩＢ及び／又はＳＩＢを用いてＣＦＩ値の情報を送信する場合に、ＣＦＩ値を変更する場合（ＭＩＢ及び／又はＳＩＢを用いてＣＦＩ値の変更（アップデート）を行う場合）を想定する。かかる場合、無線基地局は、ＣＦＩ値の変更を行うために、ユーザ端末にシステム情報の変更（SI  change  notification）を通知するページング情報（paging  message）を通知することが考えられる。ページング情報は、ＲＲＣアイドル状態のユーザ端末（例えば、ＭＴＣ端末）やＲＲＣ接続状態のユーザ端末にシステム情報の変更を指示するために利用される情報である。
【００３２】
ＲＲＣ接続状態（RRC-connected  mode）のユーザ端末は、無線基地局にＲＲＣ接続した状態のユーザ端末であり、無線基地局からＲＲＣシグナリング等により下り信号を受信できる状態のユーザ端末を指す。ＲＲＣアイドル状態（RRC-idle  mode）のユーザ端末は、無線基地局にＲＲＣ接続していない状態のユーザ端末であり、ＲＲＣアイドル状態のユーザ端末はＤＲＸ（Discontinuous  Reception）受信を行う。また、ＲＲＣアイドル状態のユーザ端末は、ＤＲＸ受信において所定タイミングで送信されるページング情報を受信する。
【００３３】
また、ＲＲＣアイドル状態のユーザ端末は、着信（incoming  calls）やシステム情報の変更（system  information  change）等を検出するためにページングチャネルをモニターする。ＲＲＣ接続状態のユーザ端末は、システム情報の変更等を検出するためにページングチャネル及び／又はＳＩＢ１をモニターする。
【００３４】
ページング情報でシステム情報の変更が通知されたユーザ端末は、全てのシステム情報をアップデートするように動作する。例えば、図５に示すように、システム情報の変更を通知するページング情報を受信したユーザ端末は、ＭＩＢと複数のＳＩＢを受信することによりシステム情報（ＣＦＩ値も含まれる）を更新する。このように、ＣＦＩ値の情報をＭＩＢ及び／又はＳＩＢでシグナリングする場合、ページング情報に含まれるシステム情報の変更指示により、ＭＴＣ端末においてＣＦＩ値を適切に更新することできる。
【００３５】
一方で、本発明者等は、ページング情報の割当て領域（ページング情報が配置されるシンボルの開始位置）が変動する場合、ＭＴＣ端末（特に、ＲＲＣアイドル状態のＭＴＣ端末）がページング情報を検出できない場合が生じることを見出した。
【００３６】
ページング情報がＰＤＳＣＨに割当てられて送信される場合、ＭＴＣ端末はページング情報が割当てられるＰＤＳＣＨの開始位置を把握する必要がある。しかし、ＭＴＣ端末がアイドル状態の場合（特に、アイドル状態のＭＴＣ端末が移動している場合等）に、ＭＴＣ端末に対するＰＤＳＣＨの開始位置（例えば、ＣＦＩ値）が変更されると、ＭＴＣ端末がＣＦＩ値の変更を適切に把握できなくなる。その結果、ＭＴＣ端末は、ページング情報適切に受信できなくなることが考えられる。
【００３７】
そこで、本発明者等は、無線基地局とＭＴＣ端末との無線通信において、ＰＤＳＣＨ及び／又はＥＰＤＣＣＨの開始位置（ＣＦＩ値）を変更して制御する場合に、ページング情報の開始位置及び／又は当該ページング情報の割当て情報を指示する制御信号の開始位置を固定的に設定することを着想した。これにより、ＭＴＣ端末は、ＲＲＣアイドル状態である場合であっても、ページング情報を適切に受信することができる。
【００３８】
ページング情報の開始位置は、例えば、ページング情報を配置するＰＤＳＣＨの開始シンボル（starting  symbol  for  paging  info.）とすることができる。また、ページング情報の割当て情報を指示する制御信号の開始位置は、例えば、当該制御信号が割当てられる共通サーチスペースの開始シンボル（starting  symbol  for  CSS）とすることができる。
【００３９】
また、本発明者等は、ＣＦＩ値を更新する際にページング情報のシステム情報の更新通知（SI  change  notification）を用いてシステム情報の変更を指示する場合、ＭＴＣ端末が無駄に全てのシステム情報をアップデートしなければならない点に着目した。
【００４０】
例えば、ＲＲＣアイドル状態のユーザ端末は、ＤＲＸ受信動作において、ＣＦＩ更新用のシステム情報変更通知を含むページング情報を受信した場合、全てのシステム情報を変更した後にスリープ状態に戻ることとなる（図６Ａ参照）。また、ＲＲＣ接続状態のユーザ端末は、ＣＦＩ値更新用のシステム情報変更通知を含むページング情報を受信した場合、全てのシステム情報を変更した後にデータの受信を再開する必要がある（図６Ｂ参照）。
【００４１】
そこで、本発明者等は、ページング情報に含まれるシステム情報変更通知（SI  change  notification）以外の通知方法を用いて、ＭＴＣ端末のＣＦＩ値の更新を制御することを着想した。本実施の一態様として、本発明者等は、ページング情報において、システム情報変更通知フィールド（SI  change  notification  field）以外の情報フィールドにＣＦＩに関する情報を含めてＣＦＩ値の更新を制御する。なお、ＣＦＩに関する情報としては、ＣＦＩの変更有無及び／又はＣＦＩ値等のＣＦＩに関する情報を含む。これにより、システム情報のアップデートに要する時間や電力消費の増加を抑制することができる。
【００４２】
以下、本発明の各実施態様を説明する。各実施態様では、使用帯域が狭帯域に制限されたユーザ端末としてＭＴＣ端末を例示するが、本発明の適用はＭＴＣ端末に限定されない。また、狭帯域を６ＰＲＢ（１．４ＭＨｚ）として説明するが、他の狭帯域であっても、本明細書に基づいて本発明を適用することができる。
【００４３】
（第１の態様）
第１の態様では、ページング情報の開始位置及び／又は当該ページング情報を取得するために検出するサーチスペースの開始位置を固定的に設定する場合について説明する。なお、第１の態様は、特にＲＲＣアイドル状態のＭＴＣ端末に対して好適に適用することができるが、これに限られない。また、以下の説明では、ＭＴＣ端末に送信するＥＰＤＣＣＨにおいて共通サーチスペース（ＣＳＳ：Common  Search  Space）を設定する場合と、ＣＳＳを設定しない場合について説明する。ＣＳＳを設定しない場合としては、ＣＳＳを利用してページング情報の検出を行わない場合も含むものとする。
【００４４】
＜ＣＳＳを設定する場合＞
ＣＳＳを設定する場合、ＣＳＳが設定されるシンボルの開始位置（starting  symbol）を固定的に設定する（図７Ａ参照）。図７Ａでは、ＣＳＳ用シンボルの開始位置を所定サブフレームの先頭から４シンボル目（シンボル＃３）とする場合（ＣＦＩ＝３）を示している。もちろん、固定的に設定するＣＳＳ用シンボルの開始位置は他の値（例えば、シンボル＃１（ＣＦＩ＝１）、シンボル＃２（ＣＦＩ＝２）等）としてもよい。
【００４５】
ＣＳＳは、ＥＰＤＣＣＨを構成する複数のＥＣＣＥについて、各ＭＴＣ端末が共通して検出する領域を指す。具体的には、複数のＭＴＣ端末がブラインド復号で検出を試みる領域に相当する。ＭＴＣ端末は、所定サブフレームにおけるＣＳＳを検出し、検出によって得られる情報（例えば、ページング情報の割当て情報）に基づいてページング情報の検出を行う。なお、ＥＰＤＣＣ用に用いるＣＳＳは、ｅＣＳＳと呼ばれてもよい。
【００４６】
ＣＳＳを固定的に設定するサブフレームとしては、少なくともページング情報の割当て情報を含むＣＳＳが設定される所定サブフレームとすることができる。ページングの割当て情報を含むＣＳＳとページング情報が同じサブフレームに割当てられる場合、当該サブフレーム（例えば、ＰＯ：Paging  Occasion）において、少なくともＣＳＳ用シンボルの開始位置を固定的に設定すればよい。ＭＴＣ端末は、ページング情報が設定されるサブフレーム（ＰＯ）に関する情報をＳＩＢ等によりあらかじめ受信することができる。また、所定サブフレーム（例えば、ＰＯ）に関わらず、全てのサブフレームでＣＳＳ用のシンボルの開始位置を固定的に設定することも可能である。
【００４７】
また、ＣＳＳを用いてページング情報を検出する場合、ページング情報が割当てられるシンボル（例えば、ページング情報を含むＰＤＳＣＨ）の開始位置も、ＣＳＳと同様に固定的に設定してもよい。この場合、ＣＳＳ用のシンボルとページング情報用のシンボルの開始位置を同一に設定することができる。なお、ページング情報が設定されるシンボルは固定的に設定せず、ＣＳＳに基づいて開始位置を特定してもよい。この場合、ページング情報が設定されるシンボルをＣＳＳの開始位置より前に設定することも可能である。
【００４８】
このように、少なくともページング情報の検出に利用するＣＳＳ用シンボルの開始位置を固定的に設定することにより、ＭＴＣ端末は、ＲＲＣアイドル状態であってもページング情報を適切に受信することが可能となる。これにより、ページング情報に基づいてＣＦＩ値の更新を制御する場合に、ＭＴＣ端末がＣＦＩ値を適切に変更することができる。
【００４９】
＜ＣＳＳを設定しない場合＞
ＣＳＳを設定しない場合には、所定サブフレーム（例えば、ＰＯ）において、ページング情報が割当てられるシンボル（例えば、ページング情報を含むＰＤＳＣＨ）の開始位置を固定的に設定する（図７Ｂ参照）。図７Ｂでは、ページング情報が割当てられる領域の開始位置を所定サブフレームの先頭から４シンボル目（シンボル＃３）とする場合を示している。もちろん、固定的に設定するページング情報用のシンボルの開始位置は他の値（例えば、シンボル＃１、シンボル＃２等）としてもよい。
【００５０】
このように、所定サブフレームにおけるページング情報の開始位置を固定的に設定することにより、ＭＴＣ端末はページング情報を適切に検出することができる。なお、ページング情報の割当てに関する情報（例えば、サブフレーム情報等）は、仕様で定義するか、あらかじめＭＴＣ端末に通知することができる。
【００５１】
（第２の態様）
第２の態様では、ページング情報に含まれるシステム情報の変更通知（SI  change  notification）以外の通知方法を用いて、ＭＴＣ端末にＣＦＩに関する情報を通知する場合について説明する。なお、第２の態様は、特にＲＲＣアイドル状態のＭＴＣ端末に対して好適に適用することができるが、ＲＲＣ接続状態のＭＴＣに適用することも可能である。また、第２の態様は、第１の態様と適宜組み合わせて適用することができる。
【００５２】
＜第１の方法＞
第１の方法では、ページング情報に含まれるＲＡＣＨ要求（RACH  request）に基づいて、ＭＴＣ端末がＣＦＩ値を取得（アップデート）する場合について図８を参照して説明する。
【００５３】
無線基地局は、ＭＴＣ端末（例えば、ＲＲＣアイドル状態）に対してページング情報（paging  message）を用いてＲＡＣＨ要求を送信する（ＳＴ１０１）。ＲＡＣＨ要求は、ページング情報のラッチ要求フィールド（RACH  request  field）に設定される。ＲＡＣＨ要求を指示されたＭＴＣ端末は、ランダムアクセス手順を実施する前に、ＭＩＢ及び／又はＳＩＢを検出してＣＦＩ値（ＰＤＳＣＨ及び／又はＥＰＤＣＣＨの開始位置）の情報を取得する（ＳＴ１０２）。
【００５４】
ＣＦＩ値を取得したＭＴＣ端末は、当該ＣＦＩ値を考慮して信号の送受信（例えば、ランダムアクセス手順）を行う（ＳＴ１０３）。このように、ＲＡＣＨ要求に基づいてＭＴＣ端末がＣＦＩを更新することにより、ＭＴＣ端末はランダムアクセス手順において送信されるＰＤＳＣＨやＥＰＤＣＣＨの開始位置を適切に把握することができる。その結果、周波数利用効率を向上すると共に、ランダムアクセス手順を適切に行うことができる。
【００５５】
第１の方法では、ページング情報に含まれるＲＡＣＨ要求に基づいて、ＭＩＢ及び／又はＳＩＢを検出してＣＦＩ値の情報を取得する。このため、ページング情報に含まれるシステム情報変更通知に基づいてＣＦＩ値の情報を取得する場合と比較して、全てのシステム情報の更新は必要とならず、ＭＴＣ端末側における動作の簡略化や消費電力の低減を図ることができる。
【００５６】
＜第２の方法＞
第２の方法では、ページング情報においてＣＦＩ更新用のフィールド（例えば、「CFI  update  field」とも呼ぶ）を設定し、ページング情報を用いてＭＴＣ端末にＣＦＩに関する情報を通知する場合について説明する。
【００５７】
例えば、無線基地局は、ページングに設定されるＣＦＩ更新フィールドを用いてＭＴＣ端末にＣＦＩ値の変更を通知する。当該ページング情報を受信したＭＴＣ端末は、ＣＦＩ値を更新するためにＭＩＢ及び／又はＳＩＢの検出を行う。
【００５８】
図９Ａは、ＲＲＣアイドル状態のＭＴＣ端末が第２の方法を適用する場合を示している。ここでは、ＣＦＩ値が１から２へ変更する場合を示している。無線基地局は所定サブフレーム（例えば、ＰＯ）において、ＣＦＩ更新フィールドを含むページング情報をＭＴＣ端末に送信する。ページング情報によりＣＦＩの変更（CFI  change）を通知されたＭＴＣ端末は、ＭＩＢ及び／又はＳＩＢを検出して、変更後のＣＦＩ値の情報を取得する。
【００５９】
図９Ｂは、ＲＲＣ接続状態のＭＴＣ端末が第２の方法を適用する場合を示している。ここでは、ＣＦＩ値が１から２へ変更する場合を示している。ＣＦＩ値を変更前は、ＭＴＣ端末は、ＣＦＩ値が１であると判断して受信動作等を行う。ＣＦＩ値を変更する場合、無線基地局は所定サブフレーム（例えば、ＰＯ）において、ＣＦＩ更新フィールド（ＣＦＩの変更有）を含むページング情報をＭＴＣ端末に送信する。ページング情報によりＣＦＩの変更を通知されたＭＴＣ端末は、ＭＩＢ及び／又はＳＩＢを検出して、変更後のＣＦＩ値の情報（ここでは、ＣＦＩ＝２）を取得する。その後、ＭＴＣ端末は、ＣＦＩ値が２であると判断して受信動作等を行う。
【００６０】
このように、ページング情報にＣＦＩの更新有無を指示するＣＦＩ更新フィールドを設定することにより、ＭＴＣ端末にＣＦＩ更新に関する動作のみ実施させることができる。なお、ＣＦＩ更新フィールドは、例えば、ＣＦＩ更新有無を示す１ビットで設定することができる。
【００６１】
第２の方法では、ＭＴＣ端末は、ＣＦＩの更新を指示するページング情報を受信した場合に、ＣＦＩを更新するためにＭＩＢ及び／又はＳＩＢを受信すればよい。このため、ページング情報に含まれるシステム情報変更通知に基づいてＣＦＩ値の情報を取得する場合と比較して、全てのシステム情報の更新は必要とならず、ＭＴＣ端末側における動作を簡略化することができる。
【００６２】
＜第３の方法＞
第３の方法では、ページング情報においてＣＦＩ更新用のフィールドを設定すると共に、さらに当該ＣＦＩ更新用フィールドにＣＦＩ値の情報を設定する場合について説明する。
【００６３】
例えば、無線基地局は、ページングにおけるＣＦＩ更新フィールドを用いてＭＴＣ端末にＣＦＩ値の情報（例えば、変更後のＣＦＩ値）を通知する。ＭＴＣ端末は、受信したページング情報に基づいてＣＦＩ値を更新することができる。ＣＦＩ更新フィールドは、例えば、２ビットで設定することができる。
【００６４】
図１０Ａは、ＲＲＣアイドル状態のＭＴＣ端末が第３の方法を適用する場合を示している。無線基地局は所定サブフレーム（例えば、ＰＯ）において、ＣＦＩ更新フィールド（ＣＦＩ値の情報）を含むページング情報をＭＴＣ端末に送信する。ここでは、ＣＦＩ値が１から２へ変更する場合を示しており、ＭＴＣ端末は、受信したページング情報に基づいてＣＦＩ値を１から２へ更新する。
【００６５】
図１０Ｂは、ＲＲＣ接続状態のＭＴＣ端末が第３の方法を適用する場合を示している。ここでは、ＣＦＩ値が１から２へ変更する場合を示している。ＣＦＩ値の変更前において、ＭＴＣ端末は、ＣＦＩ値が１であると判断して無線基地局から送信されるＰＤＳＣＨ及び／又はＥＰＤＣＣＨ等を受信する。
【００６６】
ＣＦＩ値が変更される場合、無線基地局は所定サブフレーム（例えば、ＰＯ）において、ＣＦＩ更新フィールド（ＣＦＩ値の情報）を含むページング情報をＭＴＣ端末に送信する。ＭＴＣ端末は、受信したページング情報に基づいてＣＦＩ値を１から２へ更新する。その後、ＭＴＣ端末は、ＣＦＩ値が２であると判断して無線基地局から送信されるＰＤＳＣＨ及び／又はＥＰＤＣＣＨ等を受信する。
【００６７】
第３の方法では、ＣＦＩ値の情報をページング情報でＭＴＣ端末に通知するため、ＭＴＣ端末はページング情報に基づいてＣＦＩ値を更新することができる。そのため、第１の方法や第２の方法と比較して、ページング情報を受信した後にＣＦＩ値の情報を得るための動作（例えば、ＭＩＢ及び／又はＳＩＢの受信動作）が不要となる。このため、第１の方法や第２の方法と比較して、ＭＴＣ端末側における動作を簡略化することができる。
【００６８】
（第３の態様）
第３の態様では、ページング情報に含まれるシステム情報の変更通知（SI  change  notification）以外の通知方法を用いて、ＭＴＣ端末にＣＦＩに関する情報を通知する場合について説明する。第３の態様は、特にＲＲＣ接続状態のＭＴＣ端末に対して好適に適用することができる。また、第３の態様を他の態様で示した構成と適宜組み合わせて適用することができる。
【００６９】
＜ＲＲＣシグナリング＞
無線基地局は、ＲＲＣ接続状態のＭＴＣ端末に対してＲＲＣシグナリングでＣＦＩ値の情報を通知することができる（図１１Ａ参照）。ＭＴＣ端末は、ＲＲＣシグナリングで通知されたＣＦＩ値の情報に基づいてＰＤＳＣＨ等の開始位置を判断し、下りデータを受信する。このように、ＲＲＣシグナリングを用いてＣＦＩ値の情報をＲＲＣ接続状態のＭＴＣ端末に通知することにより、周波数リソースを有効に利用すると共に、ＭＴＣ端末が適切にＰＤＳＣＨ等を受信することが可能となる。
【００７０】
＜ＭＩＢ／ＳＩＢ＞
無線基地局は、ＲＲＣ接続状態のＭＴＣ端末に対して周期的に送信されるＭＩＢ及び／又はＳＩＢを用いてＣＦＩ値の情報を通知することができる（図１１Ｂ参照）。この場合、所定周期で送信されるＭＩＢ及び／又はＳＩＢにＣＦＩ値の情報を含めることができる。所定周期としては、システム情報が変更する期間として設定される報知チャネル修正サイクル（BCCH  modification  cycle）とすることができる。
【００７１】
ＭＴＣ端末は、所定周期で送信されるＭＩＢ及び／又はＳＩＢに含まれるＣＦＩ値の情報に基づいてＰＤＳＣＨ等の開始位置を判断し、下りデータを受信する。このように、周期的に送信されるＭＩＢ及び／又はＳＩＢを用いてＣＦＩ値の情報をＲＲＣ接続状態のＭＴＣ端末に通知することにより、周波数リソースを有効に利用すると共に、ＭＴＣ端末が適切にＰＤＳＣＨ等を受信することが可能となる。
【００７２】
（無線通信システムの構成）
以下、本発明の一実施形態に係る無線通信システムの構成について説明する。この無線通信システムでは、本発明の実施形態に係る無線通信方法が適用される。なお、上記の各実施形態に係る無線通信方法は、それぞれ単独で適用されてもよいし、組み合わせて適用されてもよい。ここでは、狭帯域に使用帯域が制限されたユーザ端末としてＭＴＣ端末を例示するが、ＭＴＣ端末に限定されるものではない。
【００７３】
図１２は、本発明の一実施形態に係る無線通信システムの概略構成図である。図１２に示す無線通信システム１は、マシン通信システムのネットワークドメインにＬＴＥシステムを採用した一例である。当該無線通信システム１では、ＬＴＥシステムのシステム帯域幅を１単位とする複数の基本周波数ブロック（コンポーネントキャリア）を一体としたキャリアアグリゲーション（ＣＡ）及び／又はデュアルコネクティビティ（ＤＣ）を適用することができる。また、ＬＴＥシステムが下りリンク及び上りリンク共に最大２０ＭＨｚのシステム帯域に設定されるものとするが、この構成に限られない。なお、無線通信システム１は、ＳＵＰＥＲ  ３Ｇ、ＬＴＥ−Ａ（LTE-Advanced）、ＩＭＴ−Ａｄｖａｎｃｅｄ、４Ｇ、５Ｇ、ＦＲＡ（Future  Radio  Access）等と呼ばれてもよい。
【００７４】
無線通信システム１は、無線基地局１０と、無線基地局１０に無線接続する複数のユーザ端末２０Ａ、２０Ｂ及び２０Ｃとを含んで構成されている。無線基地局１０は、上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。
【００７５】
複数のユーザ端末２０Ａ、２０Ｂ及び２０Ｃは、セル５０において無線基地局１０と通信を行うことができる。例えば、ユーザ端末２０Ａは、ＬＴＥ（Ｒｅｌ−１０まで）又はＬＴＥ−Ａｄｖａｎｃｅｄ（Ｒｅｌ−１０以降も含む）をサポートするユーザ端末（以下、ＬＴＥ端末）であり、他のユーザ端末２０Ｂ、２０Ｃは、マシン通信システムにおける通信デバイスとなるＭＴＣ端末である。以下、特に区別を要しない場合は、ユーザ端末２０Ａ、２０Ｂ及び２０Ｃは単にユーザ端末２０と呼ぶ。
【００７６】
なお、ＭＴＣ端末２０Ｂ、２０Ｃは、ＬＴＥ、ＬＴＥ−Ａなどの各種通信方式に対応した端末であり、電気（ガス）メータ、自動販売機等の固定通信端末に限らず、車両等の移動通信端末でもよい。また、ユーザ端末２０は、直に他のユーザ端末と通信してもよいし、無線基地局１０を介して他のユーザ端末と通信してもよい。
【００７７】
無線通信システム１においては、無線アクセス方式として、下りリンクについてはＯＦＤＭＡ（直交周波数分割多元接続）が適用され、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られない。
【００７８】
無線通信システム１では、下りリンクのチャネルとして、各ユーザ端末２０で共有される下り共有チャネル（ＰＤＳＣＨ：Physical  Downlink  Shared  Channel）、報知チャネル（ＰＢＣＨ：Physical  Broadcast  Channel）、下りＬ１／Ｌ２制御チャネル等が用いられる。ＰＤＳＣＨにより、ユーザデータや上位レイヤ制御情報、所定のＳＩＢ（System  Information  Block）、ページングチャネル（ＰＣＨ：Paging  Channel）／ページング情報（Paging  information）等が伝送される。また、ＰＢＣＨにより、ＭＩＢ（Master  Information  Block）などが伝送される。
【００７９】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）等を含む。ＰＤＣＣＨにより、ＰＤＳＣＨ及びＰＵＳＣＨのスケジューリング情報を含む下り制御情報（ＤＣＩ：Downlink  Control  Information）等が伝送される。ＰＣＦＩＣＨにより、ＰＤＣＣＨに用いるＯＦＤＭシンボル数が伝送される。ＰＨＩＣＨにより、ＰＵＳＣＨに対するＨＡＲＱの送達確認信号（ＡＣＫ／ＮＡＣＫ）が伝送される。ＥＰＤＣＣＨは、ＰＤＳＣＨ（下り共有データチャネル）と周波数分割多重され、ＰＤＣＣＨと同様にＤＣＩ等の伝送に用いられる。
【００８０】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）等が用いられる。ＰＵＳＣＨにより、ユーザデータや上位レイヤ制御情報が伝送される。また、ＰＵＣＣＨにより、下りリンクの無線品質情報（ＣＱＩ：Channel  Quality  Indicator）、送達確認信号などが伝送される。ＰＲＡＣＨにより、セルとの接続確立のためのランダムアクセスプリアンブル（ＲＡプリアンブル）が伝送される。
【００８１】
図１３は、本発明の一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６とを備えている。なお、送受信部１０３は、送信部及び受信部で構成される。
【００８２】
下りリンクにより無線基地局１０からユーザ端末２０に送信されるユーザデータは、上位局装置３０から伝送路インターフェース１０６を介してベースバンド信号処理部１０４に入力される。
【００８３】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御等のＲＬＣレイヤの送信処理、ＭＡＣ（Medium  Access  Control）再送制御（例えば、ＨＡＲＱ（Hybrid  Automatic  Repeat  reQuest）の送信処理）、スケジューリング、伝送フォーマット選択、チャネル符号化、逆高速フーリエ変換（ＩＦＦＴ：Inverse  Fast  Fourier  Transform）処理、プリコーディング処理等の送信処理が行われて各送受信部１０３に転送される。また、下り制御信号に関しても、チャネル符号化や逆高速フーリエ変換などの送信処理が行われて、各送受信部１０３に転送される。
【００８４】
各送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。送受信部１０３は、システム帯域幅より制限された狭い帯域幅（狭帯域幅）で、各種信号を送受信することができる。
【００８５】
例えば、送信部１０３は、ＣＦＩに関する情報が含まれるＭＩＢ、ＳＩＢ、ページング情報等を送信することができる。送受信部１０３は、本発明に係る技術分野での共通認識に基づいて説明されるトランスミッター／レシーバー、送受信回路又は送受信装置とすることができる。
【００８６】
一方、上り信号については、各送受信アンテナ１０１で受信された無線周波数信号がそれぞれアンプ部１０２で増幅される。各送受信部１０３はアンプ部１０２で増幅された上り信号を受信する。送受信部１０３は、受信信号をベースバンド信号に周波数変換して、ベースバンド信号処理部１０４に出力する。
【００８７】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ、ＰＤＣＰレイヤの受信処理がなされ、伝送路インターフェース１０６を介して上位局装置３０に転送される。呼処理部１０５は、通信チャネルの設定や解放等の呼処理や、無線基地局１０の状態管理や、無線リソースの管理を行う。
【００８８】
伝送路インターフェース１０６は、所定のインターフェースを介して、上位局装置３０と信号を送受信する。また、伝送路インターフェース１０６は、基地局間インターフェース（例えば、光ファイバ、Ｘ２インターフェース）を介して隣接無線基地局１０と信号を送受信（バックホールシグナリング）してもよい。
【００８９】
図１４は、本実施形態に係る無線基地局の機能構成の一例を示す図である。なお、図１４では、本実施形態における特徴部分の機能ブロックを主に示しており、無線基地局１０は、無線通信に必要な他の機能ブロックも有しているものとする。図１４に示すように、ベースバンド信号処理部１０４は、制御部（スケジューラ）３０１と、送信信号生成部（生成部）３０２と、マッピング部３０３と、受信信号処理部３０４と、を備えている。
【００９０】
制御部（スケジューラ）３０１は、ＰＤＳＣＨで送信される下りデータ信号、ＰＤＣＣＨ及び／又はＥＰＤＣＣＨで伝送される下り制御信号のスケジューリング（例えば、リソース割り当て）を制御する。また、システム情報、同期信号、ページング情報、ＣＲＳ（Cell-specific  Reference  Signal）、ＣＳＩ−ＲＳ（Channel  State  Information  Reference  Signal）等のスケジューリングの制御も行う。また、上り参照信号、ＰＵＳＣＨで送信される上りデータ信号、ＰＵＣＣＨ及び／又はＰＵＳＣＨで送信される上り制御信号、ＰＲＡＣＨで送信されるランダムアクセスプリアンブル等のスケジューリングを制御する。
【００９１】
制御部３０１は、各種信号を狭帯域に割り当ててユーザ端末２０に対して送信するように、送信信号生成部３０２及びマッピング部３０３を制御する。例えば、制御部３０１は、下りリンクのシステム情報（ＭＩＢ、ＳＩＢ）、ページング情報、ＥＰＤＣＣＨ等の下り信号を狭帯域幅に割り当てるように制御する。
【００９２】
制御部３０１は、ページング情報が設定される所定サブフレームにおいて、ページング情報の割当て情報を含むＥＰＤＣＣＨの開始位置（特に、共通サーチスペースの開始位置）を固定的に設定する。この場合、制御部３０１は、少なくともページング情報が送信される所定サブフレームにおいて共通サーチスペースの開始位置を固定して設定する（第１の態様）。
【００９３】
あるいは、制御部３０１は、ページング情報が設定される所定サブフレームにおいて、共通サーチスペースは設定せずにページング情報が配置されるシンボルの開始位置（例えば、ＰＣＨが割当てられるＰＤＳＣＨの開始位置）を固定的に設定する（第１の態様）。
【００９４】
また、制御部３０１は、ランダムアクセス要求を含むページング情報を受信したＭＴＣ端末が、ランダムアクセス手順を行う前にＭＩＢ及び／又はＳＩＢを受信してＣＦＩ値の情報を取得するように制御する。また、制御部３０１は、ページング情報にＣＦＩに関する情報（ＣＦＩ変更の有無、ＣＦＩ値の情報等）を含めて送信するように制御する。
【００９５】
制御部３０１は、本発明に係る技術分野での共通認識に基づいて説明されるコントローラ、制御回路又は制御装置とすることができる。
【００９６】
送信信号生成部３０２は、制御部３０１からの指示に基づいて、ＤＬ信号を生成して、マッピング部３０３に出力する。例えば、送信信号生成部３０２は、制御部３０１からの指示に基づいて、下り信号の割り当て情報を通知するＤＬアサインメント及び上り信号の割り当て情報を通知するＵＬグラントを生成する。また、下りデータ信号には、各ユーザ端末２０からのチャネル状態情報（ＣＳＩ）等に基づいて決定された符号化率、変調方式などに従って符号化処理、変調処理が行われる。
【００９７】
また、送信信号生成部３０２は、ＣＦＩに関する情報を有するページング情報を生成することができる。送信信号生成部３０２は、本発明に係る技術分野での共通認識に基づいて説明される信号生成器、信号生成回路又は信号生成装置とすることができる。
【００９８】
マッピング部３０３は、制御部３０１からの指示に基づいて、送信信号生成部３０２で生成された下り信号を、所定の狭帯域の無線リソース（例えば、最大６リソースブロック）にマッピングして、送受信部１０３に出力する。
【００９９】
例えば、マッピング部３０３は、ページング情報の開始位置及び／又は当該ページング情報の割当て情報を指示する制御信号の開始位置が固定的となるようにマッピングを行う。また、マッピング部３０３は、ＣＦＩ値に基づいて下りデータ信号（ＰＤＳＣＨ）や下り制御信号（ＥＰＤＣＣＨ）の開始位置を制御する。なお、マッピング部３０３は、本発明に係る技術分野での共通認識に基づいて説明されるマッパー、マッピング回路又はマッピング装置とすることができる。
【０１００】
受信信号処理部３０４は、ユーザ端末から送信されるＵＬ信号（例えば、送達確認信号（ＨＡＲＱ−ＡＣＫ）、ＰＵＳＣＨで送信されたデータ信号、ＰＲＡＣＨで送信されたランダムアクセスプリアンブル等）に対して、受信処理（例えば、デマッピング、復調、復号など）を行う。処理結果は、制御部３０１に出力される。
【０１０１】
また、受信信号処理部３０４は、受信した信号を用いて受信電力（例えば、ＲＳＲＰ（Reference  Signal  Received  Power））、受信品質（ＲＳＲＱ（Reference  Signal  Received  Quality））やチャネル状態などについて測定してもよい。測定結果は、制御部３０１に出力されてもよい。
【０１０２】
受信信号処理部３０４は、本発明に係る技術分野での共通認識に基づいて説明される信号処理器、信号処理回路又は信号処理装置、並びに、測定器、測定回路又は測定装置から構成することができる。
【０１０３】
図１５は、本実施形態に係るユーザ端末の全体構成の一例を示す図である。なお、ここでは詳細な説明を省略するが、通常のＬＴＥ端末がＭＴＣ端末として振る舞うように動作してもよい。ユーザ端末２０は、送受信アンテナ２０１と、アンプ部２０２と、送受信部２０３と、ベースバンド信号処理部２０４と、アプリケーション部２０５と、を備えている。なお、送受信部２０３は、送信部及び受信部から構成される。また、ユーザ端末２０は、送受信アンテナ２０１、アンプ部２０２、送受信部２０３等を複数備えてもよい。
【０１０４】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。
【０１０５】
送受信部２０３は、所定サブフレームで送信されるページング情報を受信することができる。この場合、送受信部２０３は、所定サブフレームにおいて開始位置が固定して割当てられた共通サーチスペースを検出し、当該共通サーチスペースで指示されたページング情報を受信することができる。また、送受信部２０３は、ランダムアクセス要求を含むページング情報を受信した場合にＭＩＢ及び／又はＳＩＢを受信してＣＦＩ値の情報を取得することができる。
【０１０６】
また、送受信部２０３は、ページング情報に含まれるＣＦＩ値の変更に関する情報を受信した場合、ＭＩＢ及び／又はＳＩＢを受信してＣＦＩ値の情報を取得することができる。また、送受信部２０３は、ユーザ端末がＲＲＣ接続状態である場合に、上位レイヤシグナリングに含まれるＣＦＩ値の情報を取得することができる。あるいは、ユーザ端末がＲＲＣ接続状態である場合に、送受信部２０３は、所定のタイミングで送信されるＭＩＢ及び／又はＳＩＢに含まれるＣＦＩ値の情報を取得することができる。
【０１０７】
送受信部２０３は、本発明に係る技術分野での共通認識に基づいて説明されるトランスミッター／レシーバー、送受信回路又は送受信装置とすることができる。
【０１０８】
ベースバンド信号処理部２０４は、入力されたベースバンド信号に対して、ＦＦＴ処理や、誤り訂正復号、再送制御の受信処理などを行う。下りリンクのユーザデータは、アプリケーション部２０５に転送される。アプリケーション部２０５は、物理レイヤやＭＡＣレイヤより上位のレイヤに関する処理などを行う。また、下りリンクのデータのうち、報知情報もアプリケーション部２０５に転送される。
【０１０９】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）や、チャネル符号化、プリコーディング、離散フーリエ変換（ＤＦＴ：Discrete  Fourier  Transform）処理、ＩＦＦＴ処理などが行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１１０】
図１６は、本実施形態に係るユーザ端末の機能構成の一例を示す図である。なお、図１６においては、本実施形態における特徴部分の機能ブロックを主に示しており、ユーザ端末２０は、無線通信に必要な他の機能ブロックも有しているものとする。図１６に示すように、ユーザ端末２０が有するベースバンド信号処理部２０４は、制御部４０１と、送信信号生成部４０２と、マッピング部４０３と、受信信号処理部４０４と、を備えている。
【０１１１】
制御部４０１は、無線基地局１０から送信された下り制御信号（ＰＤＣＣＨ／ＥＰＤＣＣＨで送信された信号）及び下りデータ信号（ＰＤＳＣＨで送信された信号）を、受信信号処理部４０４から取得する。制御部４０１は、下り制御信号や、下りデータ信号に対する再送制御の要否を判定した結果などに基づいて、上り制御信号（例えば、送達確認信号（ＨＡＲＱ−ＡＣＫ）など）や上りデータ信号の生成を制御する。具体的には、制御部４０１は、送信信号生成部４０２及びマッピング部４０３の制御を行う。
【０１１２】
制御部４０１は、ページング情報に基づいて取得したＣＦＩ（Control  Format  Indicator）値の情報を用いて下り共有チャネル及び／又は拡張下り制御チャネルの受信を制御することができる。例えば、制御部４０１は、ページング情報に含まれる情報に基づいて、ＭＩＢ及び／又はＳＩＢからＣＦＩ値の情報を取得するように制御することができる。
【０１１３】
例えば、制御部４０１は、ランダムアクセス要求（RACH  request）を含むページング情報を受信した場合、ＭＩＢ及び／又はＳＩＢを受信してＣＦＩ値の情報を取得するように制御する。あるいは、制御部４０１は、ページング情報に含まれるＣＦＩ値の変更に関する情報を受信した場合、ＭＩＢ及び／又はＳＩＢを受信してＣＦＩ値の情報を取得することができる。あるいは、制御部４０１は、ページング情報にＣＦＩ値の情報が含まれている場合、ページング情報からＣＦＩ値の情報を取得することができる。
【０１１４】
制御部４０１は、本発明に係る技術分野での共通認識に基づいて説明されるコントローラ、制御回路又は制御装置とすることができる。
【０１１５】
送信信号生成部４０２は、制御部４０１からの指示に基づいて、ＵＬ信号を生成して、マッピング部４０３に出力する。例えば、送信信号生成部４０２は、制御部４０１からの指示に基づいて、送達確認信号（ＨＡＲＱ−ＡＣＫ）やチャネル状態情報（ＣＳＩ）等の上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１１６】
送信信号生成部４０２は、本発明に係る技術分野での共通認識に基づいて説明される信号生成器、信号生成回路又は信号生成装置とすることができる。
【０１１７】
マッピング部４０３は、制御部４０１からの指示に基づいて、送信信号生成部４０２で生成された上り信号を無線リソース（最大６リソースブロック）にマッピングして、送受信部２０３へ出力する。マッピング部４０３は、本発明に係る技術分野での共通認識に基づいて説明されるマッパー、マッピング回路又はマッピング装置とすることができる。
【０１１８】
受信信号処理部４０４は、ＤＬ信号（例えば、無線基地局から送信された下り制御信号、ＰＤＳＣＨで送信された下りデータ信号等）に対して、受信処理（例えば、デマッピング、復調、復号など）を行う。受信信号処理部４０４は、無線基地局１０から受信した情報を、制御部４０１に出力する。受信信号処理部４０４は、例えば、報知情報、システム情報、ページング情報、ＲＲＣシグナリング、ＤＣＩなどを、制御部４０１に出力する。
【０１１９】
また、受信信号処理部４０４は、受信した信号を用いて、受信電力（ＲＳＲＰ）、受信品質（ＲＳＲＱ）やチャネル状態などについて測定してもよい。なお、測定結果は、制御部４０１に出力されてもよい。
【０１２０】
受信信号処理部４０４は、本発明に係る技術分野での共通認識に基づいて説明される信号処理器、信号処理回路又は信号処理装置、並びに、測定器、測定回路又は測定装置から構成することができる。また、受信信号処理部４０４は、本発明に係る受信部を構成することができる。
【０１２１】
なお、上記実施形態の説明に用いたブロック図は、機能単位のブロックを示している。これらの機能ブロック（構成部）は、ハードウェア及びソフトウェアの任意の組み合わせによって実現される。また、各機能ブロックの実現手段は特に限定されない。すなわち、各機能ブロックは、物理的に結合した１つの装置により実現されてもよいし、物理的に分離した２つ以上の装置を有線又は無線で接続し、これら複数の装置により実現されてもよい。
【０１２２】
例えば、無線基地局１０やユーザ端末２０の各機能の一部又は全ては、ＡＳＩＣ（Application  Specific  Integrated  Circuit）、ＰＬＤ（Programmable  Logic  Device）、ＦＰＧＡ（Field  Programmable  Gate  Array）等のハードウェアを用いて実現されても良い。また、無線基地局１０やユーザ端末２０は、プロセッサ（ＣＰＵ）と、ネットワーク接続用の通信インターフェースと、メモリと、プログラムを保持したコンピュータ読み取り可能な記憶媒体と、を含むコンピュータ装置によって実現されてもよい。
【０１２３】
ここで、プロセッサやメモリなどは情報を通信するためのバスで接続される。また、コンピュータ読み取り可能な記録媒体は、例えば、フレキシブルディスク、光磁気ディスク、ＲＯＭ、ＥＰＲＯＭ、ＣＤ−ＲＯＭ、ＲＡＭ、ハードディスクなどの記憶媒体である。また、プログラムは、電気通信回線を介してネットワークから送信されても良い。また、無線基地局１０やユーザ端末２０は、入力キーなどの入力装置や、ディスプレイなどの出力装置を含んでいてもよい。
【０１２４】
無線基地局１０及びユーザ端末２０の機能構成は、上述のハードウェアによって実現されてもよいし、プロセッサによって実行されるソフトウェアモジュールによって実現されてもよいし、両者の組み合わせによって実現されてもよい。プロセッサは、オペレーティングシステムを動作させてユーザ端末の全体を制御する。また、プロセッサは、記憶媒体からプログラム、ソフトウェアモジュールやデータをメモリに読み出し、これらに従って各種の処理を実行する。ここで、当該プログラムは、上記の各実施形態で説明した各動作を、コンピュータに実行させるプログラムであれば良い。例えば、ユーザ端末２０の制御部４０１は、メモリに格納され、プロセッサで動作する制御プログラムによって実現されてもよく、他の機能ブロックについても同様に実現されてもよい。
【０１２５】
以上、本発明について詳細に説明したが、当業者にとっては、本発明が本明細書中に説明した実施形態に限定されるものではないということは明らかである。例えば、上述の各実施形態は単独で用いてもよいし、組み合わせて用いてもよい。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１２６】
本出願は、２０１５年１月２３日出願の特願２０１５−０１１０９１に基づく。この内容は、全てここに含めておく。
【図１】
2016117645.tif 000003
【図２】
2016117645.tif 000004
【図３】
2016117645.tif 000005
【図４】
2016117645.tif 000006
【図５】
2016117645.tif 000007
【図６】
2016117645.tif 000008
【図７】
2016117645.tif 000009
【図８】
2016117645.tif 000010
【図９】
2016117645.tif 000011
【図１０】
2016117645.tif 000012
【図１１】
2016117645.tif 000013
【図１２】
2016117645.tif 000014
【図１３】
2016117645.tif 000015
【図１４】
2016117645.tif 000016
【図１５】
2016117645.tif 000017
【図１６】
2016117645.tif 000018
【国際調査報告】
2016117645.tif 000019
2016117645.tif 000020
2016117645.tif 000021
2016117645.tif 000022